(57)【要約】【課題】前軸と後軸を着脱自在にかつ互いに回転可能に連接し、後軸内に回転繰出機構を構成する回転カム筒を配した回転繰出式筆記具において、回転カム筒を、回転繰出式筆記具としての美観に影響を与えることなく、後軸に連動して回転可能にかつ後軸に対して前後動することなく、後軸に容易に連接して組立ることができる回転繰出式筆記具を得る。【解決手段】回転カム筒７の後端部に雌ねじ部２１と後方に向って突出した突出部２２を設ける。後軸２ｂの後端部に、消しゴム保持部材２７の固定部３０が挿入可能な貫通孔３１と前記突出部２２が嵌合可能な係止孔３２を有した鍔部２８を設ける。消しゴム保持部材２７の固定部３０を、前記鍔部２８の貫通孔３１およびクリップ２３の脚部２４に形成したクリップ貫通孔３３に挿入して、雄ねじ部２９を雌ねじ部２１に螺合するとともに、突出部２２を係止孔３２とクリップ係止孔３４に嵌合する。【選択図】図１
2011213027.tif 000002
【特許請求の範囲】
【請求項１】
軸筒を少なくとも前軸と回転操作体としての後軸とで構成し、前軸と後軸を着脱自在にかつ互いに回転可能に連接し、後軸内に、回転繰出機構を構成する後軸とは別体で形成した回転カム筒を後軸に連動して回転可能に配し、後軸を前軸に対して回転することにより回転カム筒が回転して、軸筒内に収容した１つまたは複数の筆記体の筆記先端部を軸筒の先端開口部より出没してなる回転繰出式筆記具において、前記回転カム筒の後端部にねじ部と後方に向って突出した突出部を設け、前記ねじ部に螺合可能なねじ部を設けた固定部を有した固定部材を形成し、前記後軸の後端部に、固定部材の固定部が挿入可能な貫通孔と回転カム筒の突出部が嵌合可能な係止孔を有した、内方に突出した鍔部を設け、固定部材を鍔部より後方側に配し、固定部材の固定部を鍔部の貫通孔に挿入して、固定部のねじ部を回転カム筒のねじ部に螺合して、鍔部を回転カム筒と固定部材で挟持するとともに回転カム筒の突出部を鍔部の係止孔に嵌合することで、後軸を前軸に対して回転した際に回転カム筒も後軸に連動して回転し、かつ後軸に対して前後動しないようにしたことを特徴とする回転繰出式筆記具。
【請求項２】
前記回転繰出式筆記具がクリップを装着した構造であって、前記後軸の後端部にクリップの脚部が嵌合するクリップ取付孔を鍔部の前方側に配して設け、クリップの脚部に、固定部材の固定部が挿入可能なクリップ貫通孔と回転カム筒の突出部が嵌合可能なクリップ係止孔を設け、クリップを後軸のクリップ取付孔に、脚部を後軸の鍔部の前方側に配して挿着し、固定部材を鍔部の後方側に配して、固定部材の固定部を鍔部の貫通孔およびクリップのクリップ貫通孔に挿入して、固定部のねじ部を回転カム筒のねじ部に螺合して、鍔部およびクリップの脚部を回転カム筒と固定部材で挟持するとともに回転カム筒の突出部を鍔部の係止孔およびクリップのクリップ係止孔に嵌合してなる、請求項１に記載の回転繰出式筆記具。
【発明の詳細な説明】
【技術分野】
【０００１】
本発明は、回転繰出機構を構成する回転カム筒を有した回転繰出式筆記具に関するものである。
【背景技術】
【０００２】
回転操作体を回転することにより、軸筒内に配した回転繰出機構により軸筒内に収容した筆記体の筆記先端部を軸筒の先端開口部から出没させる構造の回転繰出式筆記具において、軸筒を前軸と後軸とで構成し、後軸を前軸に対して回転可能に連接して回転操作体とし、後軸内に、カム突起を設けた摺動体を後端に装着した１つまたは複数の筆記体を収容する収容部を有した摺動ケースと、後軸を回転することにより連動して回転可能な回転カム筒とで構成した回転繰出機構を有した構造のものがある。
【０００３】
従来の前記構造の回転繰出式筆記具を、図６を用いて簡単に説明すると、回転繰出式筆記具５１は、軸筒５２を前軸５２ａと後軸５２ｂとで構成し、回転繰出機構を構成する摺動ケース５３は、筆記体を収容する筆記体収容溝５４を有する収容部５５の後方に、該収容部５５の外径より小径な係止部５６を形成して、後端に周状に突出した係止突部５７を設けてある。内方に突出して形成した、端面を傾斜面（図示せず）と平坦面（図示せず）とで構成してなるカム部５８を有した回転カム筒５９は、内壁面に前記摺動ケース５３の係止突部５７に当接する内方に突出した被係止突部６０を周状に１つまたは複数設けた構造としてある。
【０００４】
後軸５２ｂ内に、回転カム筒５９と摺動ケース５３を配するが、一般的に、回転カム筒５９は、後軸５２ｂに連動して回転可能とするために、後軸５２ｂに設けた係止凸部６１を回転カム筒５９に形成した軸心方向に延びた係止溝６２に係止して配してある。尚、回転カム筒５９が摺動ケース５３の外周面上を回転可能にかつ摺動ケース５３が回転カム筒５９から抜け出さないようにするために、摺動ケース５３を回転カム筒５９内に挿入し、回転カム筒５９に設けた被係止突部６０を摺動ケース５３の係止突部５７が乗越えて設けてある。
【０００５】
前記したように、回転カム筒を後軸の回転に連動して回転可能にするために、特開２００５−１６１８２９号公報の図１にも見られるように、後軸２ｂに係止凸部６１を設けた構造では、例え係止凸部６１を、後軸２ｂの外周面のクリップ６３のクリップ片６４の対向した位置に設けてクリップ片６４で隠そうとしても看者の目につき、美観上好ましくないという問題があった。
【先行技術文献】
【特許文献】
【０００６】
【特許文献１】特開２００５−１６１８２９号公報
【発明の概要】
【発明が解決しようとする課題】
【０００７】
本発明は、軸筒を少なくとも前軸と回転操作体としての後軸とに形成して、前軸と後軸を着脱自在にかつ互いに回転可能に連接し、後軸内に、回転繰出機構を構成する後軸とは別体で形成した回転カム筒を後軸に連動して回転可能に配し、後軸を前軸に対して回転することにより回転カム筒が回転して、軸筒内に収容した１つまたは複数の筆記体の筆記先端部を軸筒の先端開口部より出没してなる回転繰出式筆記具において、回転カム筒を、回転繰出式筆記具としての美観に影響を与えることなく、後軸に連動して回転可能にかつ後軸に対して前後動することなく、後軸に容易に連接して組立ることができる回転繰出式筆記具を得ることにある。
【課題を解決するための手段】
【０００８】
本発明は、
「１．軸筒を少なくとも前軸と回転操作体としての後軸とで構成し、前軸と後軸を着脱自在にかつ互いに回転可能に連接し、後軸内に、回転繰出機構を構成する後軸とは別体で形成した回転カム筒を後軸に連動して回転可能に配し、後軸を前軸に対して回転することにより回転カム筒が回転して、軸筒内に収容した１つまたは複数の筆記体の筆記先端部を軸筒の先端開口部より出没してなる回転繰出式筆記具において、前記回転カム筒の後端部にねじ部と後方に向って突出した突出部を設け、前記ねじ部に螺合可能なねじ部を設けた固定部を有した固定部材を形成し、前記後軸の後端部に、固定部材の固定部が挿入可能な貫通孔と回転カム筒の突出部が嵌合可能な係止孔を有した、内方に突出した鍔部を設け、固定部材を鍔部より後方側に配し、固定部材の固定部を鍔部の貫通孔に挿入して、固定部のねじ部を回転カム筒のねじ部に螺合して、鍔部を回転カム筒と固定部材で挟持するとともに回転カム筒の突出部を鍔部の係止孔に嵌合することで、後軸を前軸に対して回転した際に回転カム筒も後軸に連動して回転し、かつ後軸に対して前後動しないようにしたことを特徴とする回転繰出式筆記具。
２．前記回転繰出式筆記具がクリップを装着した構造であって、前記後軸の後端部にクリップの脚部が嵌合するクリップ取付孔を鍔部の前方側に配して設け、クリップの脚部に、固定部材の固定部が挿入可能なクリップ貫通孔と回転カム筒の突出部が嵌合可能なクリップ係止孔を設け、クリップを後軸のクリップ取付孔に、脚部を後軸の鍔部の前方側に配して挿着し、固定部材を鍔部の後方側に配して、固定部材の固定部を鍔部の貫通孔およびクリップのクリップ貫通孔に挿入して、固定部のねじ部を回転カム筒のねじ部に螺合して、鍔部およびクリップの脚部を回転カム筒と固定部材で挟持するとともに回転カム筒の突出部を鍔部の係止孔およびクリップのクリップ係止孔に嵌合してなる、前記１項に記載の回転繰出式筆記具。」
である。
【０００９】
本発明において、回転カム筒の後端部に螺合するねじ部を有した固定部材とは、軸筒内にシャープペンシルユニットの筆記体を収容した場合の回転繰出式筆記具における、消しゴムを挿着するための後軸の後端に装着した消しゴム保持部材でも良いし、または後軸の後端に装着する尾冠等でも良いし、あるいは回転カム筒を後軸に固定するための専用のボルトやビス等でも良く、後軸に形成した鍔部を回転カム筒とで挟持可能であれば、どのような目的の部材であっても良い。
【発明の効果】
【００１０】
本発明の回転繰出式筆記具は前記したような構造なので、回転カム筒を、後軸に連動して回転可能にかつ後軸に対して前後動することなく、後軸に容易に連接して組立ることができ、後軸の側面に凹部が形成されないので回転繰出式筆記具としての美観を損ねることがない。
【図面の簡単な説明】
【００１１】
【図１】本発明の実施例を示す、要部を断面した回転繰出式筆記具の要部の縦断面図である。
【図２】図１における、Ａ−Ａ線部分の要部の拡大断面図である。
【図３】本実施例の、回転カム筒の後端部分の拡大正面図である。
【図４】本実施例の、軸筒を構成する後軸の後端部分の拡大正面図である。
【図５】本実施例の、一部省略したクリップの脚部の後端部分の拡大正面図である。
【図６】従来の、要部を断面した回転繰出式筆記具の要部の縦断面図である。
【発明を実施するための形態】
【００１２】
本発明は、回転カム筒を後軸内に配した消しゴム保持部材等の固定部材に螺合して、後軸に連動して回転可能にかつ後軸に対して前後動することがないようにするものである。
【実施例】
【００１３】
本発明の実施例を図面を用いて説明する。
本実施では、便宜上、シャープペンシルユニットの筆記体とボールペンレフィルの筆記体を軸筒内に収容した回転繰出式の複合筆記具として説明するが、これに限定されるものではなく、軸筒内に、複数のボールペンレフィルの筆記体を収容した複合筆記具であっても良いし、あるいは、１つのシャープペンシルユニットまたはボールペンレフィルの筆記体を収容したものであっても良い。
【００１４】
図１〜図５に示す本発明の実施例の回転繰出式筆記具１は、軸筒２が金属製で、前軸２ａと回転操作体としての後軸２ｂとで構成してある。
【００１５】
後軸２ｂの内部には、従来の回転繰出式筆記具と同様に、筆記体収容溝３に１つのシャープペンシルユニットの筆記体４ａと２つのボールペンレフィルの筆記体４ｂ（図１においては、便宜上１つのボールペンレフィルの筆記体のみを記載）を収容した摺動ケース５と、内方に突出して形成した、端面を傾斜面（図示せず）と平坦面（図示せず）とで構成してなるカム部６を有した回転カム筒７を配してある。
【００１６】
本実施例の回転繰出式筆記具１は、後軸２ｂを前軸２ａに対して回転すると回転カム筒７も回転し、各々の筆記体４は、該筆記体４の後端部に装着した摺動体８に設けたカム係止突起９により、各々の摺動体８および筆記体４は前後動し、順次、各々の摺動体８のカム係止突起９がカム部６の先端に設けた凹溝１０に係止することで、各々の筆記体４の筆記先端部（図示せず）が軸筒２の先端開口部（図示せず）より突出して維持される構造のものである。
【００１７】
摺動ケース５は、従来の回転繰出式筆記具における摺動ケースと同様に、筆記体４ａ、４ｂを収容する周方向において等間隔に３つの筆記体収容溝３を有する収容部１１と、該収容部１１の外径より小径な係止部１２を有しており、該係止部１２の後端には軸径方向に突出したリング状の係止突部１３を設けてある。本実施例においては、収容部１１の前方（図１において左側）には、前軸２ａの後端を当接する段部１４を有した、収容部１１の外径より大径で前軸２ａの後端の外径と略同径とした接続部１５を設けてあり、該接続部１５の前方には小径な先端筒部１６を形成して、対向する外側面に軸心方向に延びた突部（図示せず）を設けて前軸の後端部２ａｂ内に圧入可能に形成した連結管１７を固着してある。
【００１８】
従来の回転繰出式筆記具における回転カム筒と同様に、回転カム筒７内に摺動ケース５を挿着した際の摺動ケース５の係止突部１３に対向した前記カム部６の後方の回転カム筒７の内壁面は、内径を小径とした小径部１８として形成してあり、該小径部１８とカム部６とで構成された段部１９には、前記摺動ケース５の係止突部１３に係止可能な内方に突出した被係止突部２０を設けてある。また、回転カム筒７の後端部７ｂの内壁面には雌ねじ部２１を、後端面には後方（図１において右側）に向って突出した、図３に示すような位置に３つの突出部２２を設けてある。
【００１９】
また、後軸２ｂの後端部には、クリップ２３の脚部２４と金輪２５を介在して、消しゴム２６を着脱自在に挿着した消しゴム保持部材２７が装着してあるが、後軸２ｂの後端には、図４に示すように内方に突出したリング状の鍔部２８を設けてあり、該鍔部２８には、消しゴム保持部材２７の回転カム筒７の雌ねじ部２１に螺合する雄ねじ部２９を有した固定部３０が挿入可能な貫通孔３１を設けてある。また、前記回転カム筒７の突出部２２に対向した貫通孔３１の周りに回転カム筒７の突出部２２が嵌合可能な係止孔３２を設けてある。尚、本実施例においては、消しゴム保持部材２７を本発明における固定部材としている。
【００２０】
クリップ２３の脚部２４には、図５に示すように消しゴム保持部材２７の雄ねじ部２９を有した固定部３０が挿入可能なクリップ貫通孔３３と、該クリップ貫通孔３３と前記回転カム筒７の突出部２２が嵌合可能なクリップ係止孔３４を設けてある。
【００２１】
クリップ２３は、脚部２４を後軸２ｂの鍔部２８の貫通孔３１より、脚部２４を貫通孔３１に対して直交する方向に向けて内部に挿入し、向きを正常の位置に戻して脚部２４を鍔部２８の前方側に配して、該鍔部２８の前方側（図１において左側方向）の後軸２ｂの側面に設けたクリップ取付孔３５に挿着し、前記消しゴム保持部材２７を、前記金輪２５をを介在して鍔部２８の後方側（図１において右側方向）に配し、固定部２７を鍔部２５の貫通孔２８およびクリップのクリップ貫通孔３３に挿入して、雄ねじ部２６を回転カム筒７の雌ねじ部２１に螺合するとともに、回転カム筒７の各々の突出部２２を鍔部２８の係止孔３２およびクリップ２３のクリップ係止孔３４に嵌合して、消しゴム保持部材２７に形成した当接部３６を金輪２５の端面に当接してある。鍔部２８、クリップ２３の脚部２４および金輪２５を回転カム筒７の後端と消しゴム保持部材２７の当接部３６とにより挟持され、回転カム筒７の突出部２２が鍔部２８の係止孔３２とクリップ２３のクリップ係止孔３４に嵌合しているので、回転カム筒７は後軸２ｂに連動して回転可能に、かつ後軸２ｂに対して前後動しない。
【００２２】
後軸２ｂの後端に装着した消しゴム２６および消しゴム保持部材２７は、頭冠３７により被覆してある。
【産業上の利用可能性】
【００２３】
回転繰出式筆記具において、軸筒を前軸と後軸出構成し、後軸内に、該後軸に連動して回転可能にかつ後軸に対して前後動しないように配する際に利用可能である。
【符号の説明】
【００２４】
１  回転繰出式筆記具
２  軸筒
２ａ  前軸
２ｂ  後軸
４  筆記体
５  摺動ケース
７  回転カム筒
２１  雌ねじ部
２２  突出部
２３  クリップ
２４  脚部
２７  消しゴム保持部材
２８  鍔部
２９  雄ねじ部
３０  固定部
３１  貫通孔
３２  係止孔
３３  クリップ貫通孔
３４  クリップ係止孔
３５  クリップ取付孔
【図１】
2011213027.tif 000003
【図２】
2011213027.tif 000004
【図３】
2011213027.tif 000005
【図４】
2011213027.tif 000006
【図５】
2011213027.tif 000007
【図６】
2011213027.tif 000008